(57)【要約】【課題】  板状基材からなる畳床であって、伝熱性が良く暖房性に優れたボード畳床を提供する。【手段】  板状基材によって形成されており、該板状基材の少なくとも表面部に金属シートを有することを特徴とするボード畳床であって、例えば、板状基材が繊維体の積層体、またはシート状保護材および/または合成樹脂発泡体を含む繊維体の積層体によって形成されており、該積層体の一部または全部が多孔質板であり、また繊維体が木材チップを高温下で繊維化したボードによって形成されており、金属シートがアルミニウム箔によって形成されているボード畳床。【選択図】  図１
2007063792.tif 000002
【特許請求の範囲】
【請求項１】
板状基材によって形成されており、該板状基材の少なくとも表面部に金属シートを有することを特徴とするボード畳床。
【請求項２】
板状基材が繊維体の積層体、またはシート状保護材および/または合成樹脂発泡体を含む繊維体の積層体によって形成されており、該積層体の表面部に金属シートが有する請求項１のボード畳床。
【請求項３】
金属シートがアルミニウム箔である請求項１または２の何れかに記載するボード畳床。
【請求項４】
繊維体が木材チップを高温下で繊維化したボードであり、該繊維体からなる積層体の一部または全部が多孔質板であって、多孔質軟質繊維体からなる積層体の表面部に金属シートを有する請求項１〜３の何れかに記載するボード畳床。
【請求項５】
繊維体が孔径４〜２５mm、孔間隔１０〜１００mmピッチの多孔質板である請求項１〜４の何れかに記載するボード畳床。
【請求項６】
繊維体が木材チップを高温下で繊維化したボードに茶カテキンを添加したものである請求項１〜５の何れかに記載するボード畳床。
【発明の詳細な説明】
【技術分野】
【０００１】
本発明は暖房性に優れたボード畳床に関する。より詳しくは、本発明は板状基材からなる畳床であって、伝熱性が良く暖房性に優れたボード畳床に関する。
【背景技術】
【０００２】
畳は畳床に畳表を積層して形成されており、この畳床には伝統的に「わら畳床」が用いられてきたが、近年、わら畳床に代えて、軟質繊維板を積層した畳床、あるいは軟質繊維板と合成樹脂発泡板とを組み合わせた積層畳床が広く用いられている。これら従来の積層畳床について、軟質繊維体のみを用いたものは重くクッション性が低い欠点があり、一方、ポリスチレンフォーム等の合成樹脂発泡体を用いたものは耐久性や通気性が劣る欠点があり、これらの問題を解決するため、軟質繊維体等の積層体の間にペーパハニカムコアや凹凸を形成した繊維体を介在させた畳床などが提案されている（特許文献１）。
【０００３】
また、軟質繊維板の積層構造として、軟質繊維板を櫛形状に成形した一対の板材を中間板や床板として使用することによって通気性やクッション性を高めた積層畳床も提案されている（特許文献２）。
【特許文献１】特開昭６２−６８９６１号公報
【特許文献２】特開２００２−３５６９７８号公報
【発明の開示】
【発明が解決しようとする課題】
【０００４】
しかし、従来の上記積層畳床の熱伝導性は原料の軟質繊維板の伝熱性と殆ど変わらず、例えば、木材チップを原料とした繊維板（木材ボード）を用いたものは、伝熱性がかなり低い。このため床暖房等の場合、暖房を作動させた後に畳表面が適温になるまで時間がかかると云う問題がある。
【０００５】
本発明は、従来の積層畳床における上記問題を解決したものであり、木材チップを原料として形成した軟質繊維板等を積層してなる畳床について、伝熱性と暖房性を高めたボード畳床を提供する。
【課題を解決するための手段】
【０００６】
本発明は以下のボード畳床に関する。
（１）板状基材によって形成されており、該板状基材の少なくとも表面部に金属シートを有することを特徴とするボード畳床。
（２）板状基材が繊維体の積層体、またはシート状保護材および/または合成樹脂発泡体を含む繊維体の積層体によって形成されており、該積層体の表面部に金属シートが有する上記(1)のボード畳床。
（３）金属シートがアルミニウム箔である上記(1)または(2)の何れかに記載するボード畳床。
（４）繊維体が木材チップを高温下で繊維化したボードであり、該繊維体からなる積層体の一部または全部が多孔質板であって、多孔質軟質繊維体からなる積層体の表面部に金属シートを有する上記(1)〜(3)の何れかに記載するボード畳床。
（５）繊維体が孔径４〜２５mm、孔間隔１０〜１００mmピッチの多孔質板である上記(1)〜(4)の何れかに記載するボード畳床。
（６）繊維体が木材チップを高温下で繊維化したボードに茶カテキンを添加したものである上記(1)〜(5)の何れかに記載するボード畳床。
【発明の効果】
【０００７】
本発明の畳床は、繊維体等によって形成した板状基材の表面部にアルミニウム箔等の金属シートを有するので伝熱性が良く、優れた暖房性を有しており、従来の積層畳床よりも短時間で畳表面が暖まる。従って、床暖房システムに適している。
【０００８】
本発明の畳床は、繊維体を単独に用いた積層体に限らず、繊維体と合成樹脂発泡体を組み合わせた複合積層体、シート状保護材を介在させた積層体などによって形成した畳床に広く適用することができ、これら各種構造の積層畳床の暖房性を高めることができる。
【０００９】
さらに、本発明の畳床は、木材チップを高温下で繊維化したボードに茶カテキンを添加した繊維体の積層体を畳床基材として用いることができ、このボード畳床は茶カテキンによる抗菌性や消臭性、防虫性や化学物質に対する吸収性を有すると共にボード畳床の暖房性を高めることができる。
【発明を実施するための最良の形態】
【００１０】
本発明の畳床は、板状基材によって形成されており、該板状基材の少なくとも表面部に金属シートを有することを特徴とするボード畳床である。本発明のボード畳床の構造例を図１および図２に示す。図示する本発明のボード畳床において、１０は板状基材、３０は金属シートである。本発明のボード畳床は板状基材１０の表面部に金属シート３０を設けたものである。金属シート３０の位置は板状基材１０の表面部であればよく、畳表と接触する上面に限らない。金属シート３０の表面に緩衝材や保護材を設けたものでもよい。
【００１１】
金属シート３０の金属種およびシート厚などは限定されない。金属箔でもよく、または、合成樹脂シート程度の厚さを有するものでもよい。なお、一般的には、金属シート３０はアルミニウム箔などが有利であり、１０μm〜１００μm程度の厚さであれば良く、経済性および伝熱性などの観点から具体的な金属種やシート厚などを定めれば良い。金属シート３０は接着剤などを用いて基材１０の表面部に貼り付けると良い。例えば、図１および図２に示すボート畳床の金属シート３０は箔の厚さである。以下、金属箔３０と云う。
【００１２】
本発明のボード畳床に用いる板状基材１０の材質や構造などは限定されない。単一の板材によって形成したものでもよく、複数の板状部材を積層したものでも良い。例えば、板状基材１０は、木材チップを高温下で繊維化したボードからなる積層体、または上記繊維体と共にシート状保護材や合成樹脂発泡体を介在させた積層体などを用いることができる。なお、板状基材を形成する繊維体は木材などの自然素材に限らず、合成樹脂製の繊維体でもよい。さらに、この積層体はハニカム構造などを有するものでもよい。
【００１３】
図１のボード畳床は発泡体を含む板状基材１０を用いた例である。図示する板状基材１０は、裏面となる裏シート１１、中間繊維体１２、発泡体（ポリスチレンフォーム）２１、上側繊維体１３、金属箔３０、緩衝材２２によって形成されている。裏シート１１は例えばクラフト紙等のような紙製シートである。中間繊維体１２および上側繊維体１３は、例えば、木材チップを高温下で繊維化したボードである。中間繊維体１２と上側繊維体１３の間には発泡体２１が介在されている。上側繊維体１３の表面に金属箔３０が積層されており、金属箔３０の表面にはシート状の緩衝材２２が積層されている。上記構造を有する板状基材１０を覆うように畳表２３が設けられる。
【００１４】
図２のボード畳床は、多孔質の積層体からなる板状基材１０を用いた例である。図示する板状基材１０は、裏面となる裏シート１１、中間繊維体１２、上側繊維体１３、金属箔３０、緩衝材２２によって形成されている。裏シート１１は図１と同様のものである。中間繊維体１２は木材チップを高温下で繊維化したボードであり、厚さの異なる二種のボードを積層して形成されている。中間繊維体１２および上側繊維体１３は多孔質板であり多数の通孔が設けられている。上側繊維体１３の表面に金属箔３０が積層されており、金属箔３０の表面にはシート状の緩衝材２２が積層されている。上記構造を有する板状基材１０を覆うように畳表２３が設けられる。
【００１５】
多孔質板からなる板状基材を用いたものは、多孔質板を用いない板状基材よりも断熱性が優れる傾向がある。この多孔質板の通孔は、例えば、孔径４〜２５mm、孔間隔１０〜１００mmピッチのものが適当であり、畳表を設けたときに、足裏に違和感を与えない孔径および孔間隔が好ましい。具体的には、概ね孔径８mm前後、孔間隔４０mmピッチのものが好適である。
【００１６】
図１および図２に示す例では、金属箔３０の緩衝材２２の下側に金属シート３０が設けられているが、金属箔３０は基材表面部に設ければ良く、図示する構造に限らない。また、板状基材は多孔質板を用いたものに限らない。
【００１７】
上記板状基材１０を形成する繊維体は木材チップを高温下で繊維化したボードに茶カテキンを添加したものを用いることができる。この繊維体からなる板状基材１０を用いた本発明のボード畳床は、優れた暖房性と共に茶カテキンによる抗菌性や消臭性、防虫性や化学物質に対する吸収性を有することができる。
【実施例】
【００１８】
図３に示すように、上記板状基材１０を形成する繊維体６０を発熱体４０の表面に載せ、該繊維体６０を絨毯５０で覆い、発熱体表面と繊維体表面の温度をおのおの測定した。繊維体６０は以下の４種を用いた。この結果を図４に示した。
(1)非多孔質繊維体（比較試料Ｃ）
(2)多孔質繊維体（比較試料Ｄ）
(3)非多孔質繊維体の両面にアルミニウム箔を設けたもの（本発明試料Ａ）
(4)多孔質繊維体の両面にアルミニウム箔を設けたもの（本発明試料Ｂ）
なお、アルミニウム箔は２０μm、アルミニウム箔は基材表面にアクリル系粘着剤によって貼り付けた。多孔質繊維体の孔径は８mm、孔間のピッチ４０mmである。
【００１９】
図４に示すように、繊維体表面にアルミニウム箔を設けた本発明試料Ａ、Ｂは何れも、比較試料Ｃ、Ｄよりも温度上昇が大きく、暖房性に優れていることが分かる。
【図面の簡単な説明】
【００２０】
【図１】本発明のボード畳床の一例を示す部分断面図
【図２】本発明のボード畳床について他の一例を示す部分断面図
【図３】ボード畳床の試験方法を示す説明図
【図４】ボード畳床試験の結果を示すグラフ
【符号の説明】
【００２１】
１０−板状基材、１１−裏シート、１２−中間繊維体、１３−上側繊維体、２１−発泡体（ポリスチレンフォーム）、２２−緩衝材、２３−畳表、３０−金属シート（金属箔）、４０−発熱体、５０−絨毯、６０−繊維体。
【図１】
2007063792.tif 000003
【図２】
2007063792.tif 000004
【図３】
2007063792.tif 000005
【図４】
2007063792.tif 000006